(57)【特許請求の範囲】
【請求項１】
前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ａ及び第２往復動体５０Ａの各先端に前面板４３Ａ及び５３Ａ、各側面に閉塞板４５Ａ及び５５Ａを設け、前面板４３Ａ又は５３Ａが第１穴１３１又は第２穴１３２内側面に当接することにより、第１往復動体４０Ａ又は第２往復動体５０Ａの突出止めとなり、前面板４３Ａ又は５３Ａが第１筒２１Ａ又は第２筒３１Ａ出口前面に当接することにより没入止めとなるように形成すると共に、第１往復動体４０Ａ及び第２往復動体５０Ａを、往復動するときに、第１筒２１Ａ及び第２筒３１Ａと面接触する閉塞板４５Ａ及び５５Ａ以外の部分は、第１筒２１Ａ及び第２筒３１Ａと線状接触する構造に形成したことを特徴とする浴槽湯口湯吹出吸込装置。
【請求項２】
前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ｂ及び第２往復動体５０Ｂの各先端に前面板４３Ｂ及び５３Ｂ、各側面に閉塞板４５Ｂ及び５５Ｂを設け、前面板４３Ｂ又は５３Ｂが第１穴１３１又は第２穴１３２内側面に当接することにより、第１往復動体４０Ｂ又は第２往復動体５０Ｂの突出止めとなり、前面板４３Ｂ又は５３Ｂが第１筒２１Ｂ又は第２筒３１Ｂ出口前面に当接することにより没入止めとなるように形成すると共に、第１筒２１Ｂ及び第２筒３１Ｂを、往復動する第１往復動体４０Ｂ及び第２往復動体５０Ｂの閉塞板４５Ｂ及び５５Ｂと面接触する部分以外の部分は、第１往復動体４０Ｂ及び第２往復動体５０Ｂと線接触する構造に形成したことを特徴とする浴槽湯口湯吹出吸込装置。
【請求項３】
前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ｃ及び第２往復動体５０Ｃの各先端に前面板４３Ｃ及び５３Ｃ、各側面に閉塞板４５Ｃ及び５５Ｃを設け、前面板４３Ｃ又は５３Ｃが第１穴１３１又は第２穴１３２内側面に当接することにより、第１往復動体４０Ｃ又は第２往復動体５０Ｃの突出止めとなり、前面板４３Ｃ又は５３Ｃが第１筒２１Ｃ又は第２筒３１Ｃ出口前面に当接することにより没入止めとなるように形成すると共に、第１往復動体４０Ｃと第１筒２１Ｃ、及び、第２往復動体５０Ｃと第２筒３１Ｃを、第１往復動体４０Ｃ及び第２往復動体５０Ｃが往復動するときに、第１往復動体４０Ｃ及び第２往復動体５０Ｃの閉塞板４５Ｃ及び５５Ｃと相互に面接触する部分以外の部分は、相互に線状接触する構造に形成したことを特徴とする浴槽湯口湯吹出吸込装置。
【請求項４】
前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ｄ及び第２往復動体５０Ｄの各先端に前面板４３Ｄ及び５３Ｄ、各側面に閉塞板４５Ｄ及び５５Ｄを設け、前面板４３Ｄ又は５３Ｄが第１穴１３１又は第２穴１３２に着脱可能に内嵌した給湯出口カバー７０の内面に当接することにより、第１往復動体４０Ｄ又は第２往復動体５０Ｄの突出止めとなり、前面板４３Ｄ又は５３Ｄが第１筒２１又は第２筒３１出口前面に当接することにより没入止めとなるように形成すると共に、第１往復動体４０Ｄ及び第２往復動体５０Ｄを、往復動するときに、第１筒２１及び第２筒３１と面接触する閉塞板４５Ｄ及び５５Ｄ以外の部分は、第１筒２１及び第２筒３１と線状接触する構造に形成したことを特徴とする浴槽湯口湯吹出吸込装置。
【請求項５】
前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ｅ及び第２往復動体５０Ｅの各先端に前面板４３Ｅ及び５３Ｅ、各側面に閉塞板４５Ｅ及び５５Ｅを設け、前面板４３Ｅ又は５３Ｅが第１穴１３１又は第２穴１３２に着脱可能に内嵌した給湯出口カバー７０の内面に当接することにより、第１往復動体４０Ｅ又は第２往復動体５０Ｅの突出止めとなり、前面板４３Ｅ又は５３Ｅが第１筒２１Ｅ又は第２筒３１Ｅ出口前面に当接することにより没入止めとなるように形成すると共に、第１筒２１Ｅ及び第２筒３１Ｅを、往復動する第１往復動体４０Ｅ及び第２往復動体５０Ｅの閉塞板４５Ｅ及び５５Ｅと面接触する部分以外の部分は、第１往復動体４０Ｅ及び第２往復動体５０Ｅと線状接触する構造に形成したことを特徴とする浴槽湯口湯吹出吸込装置。
【請求項６】
前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ｆ及び第２往復動体５０Ｆの各先端に前面板４３Ｆ及び５３Ｆ、各側面に閉塞板４５Ｆ及び５５Ｆを設け、前面板４３Ｆ又は５３Ｆが第１穴１３１又は第２穴１３２に着脱可能に内嵌した給湯出口カバー７０の内面に当接することにより、第１往復動体４０Ｆ又は第２往復動体５０Ｆの突出止めとなり、前面板４３Ｆ又は５３Ｆが第１筒２１Ｆ又は第２筒３１Ｆ出口前面に当接することにより没入止めとなるように形成すると共に、第１往復動体４０Ｆと第１筒２１Ｆ、及び、第２往復動体５０Ｆと第２筒３１Ｆを、第１往復動体４０Ｆ及び第２往復動体５０Ｆが往復動するときに、第１往復動体４０Ｆ及び第２往復動体５０Ｆの閉塞板４５Ｆ及び５５Ｆと面接触する部分以外の部分は、相互に線状接触する構造の第１往復動体４０Ｆと第１筒２１Ｆ、及び、第２往復動体５０Ｆと第２筒３１Ｆとに形成したことを特徴とする浴槽湯口湯吹出吸込装置。
【発明の詳細な説明】
【０００１】
【発明の属する技術分野】
本発明は、浴槽の湯口に設けられる給湯の吹出及び戻湯の吸込の装置に関する。
【０００２】
【従来の技術】
従来の浴槽湯口の湯吹出吸込装置は、図１１に示すように、給湯配管接続口８ｃ及び戻湯配管接続口８ｄとボイラーに直結する給湯配管及び戻湯配管の接続を間違えると、熱湯が網カバー１の前面から浴槽９内に流出する危険があつた。
そこで、ボイラ−に直結する給湯配管と戻湯配管の接続を間違えても、安全に使用できるようにするため、登録実用新案第３０２２０３４号公報に示す考案などが現出したが、これらの考案は、図１２に示すように、前面カバ−１０の側面に、対向するように、２つの筒２５、２６を設け、いずれかの筒が給湯吹出筒となり、又は、戻湯吸込筒となってもよいように装置されたが、いずれかの筒が戻湯吸込筒となったときは、入口に金網が必要となり、結局２つの筒の開口部に金網を設けなければならない欠点があった。
そこで、本発明者は、図１及び図２に示すように、前面枠１２に金網ストレーナ１１、側面壁１３に第１穴１３１及び第２穴１３２を設けた網カバー１０と、給湯配管接続口６１に連通する第１湯管２０の前部に第１筒２１を設け、第１筒２１側面に網カバー１０の金網ストレーナ１１に通ずる第１吸込口２２を設け、戻湯配管接続口６２と連通する第２湯管３０の前部に第２筒３１を設け、第２筒３１側面に網カバー１０の金網ストレーナ１１に通ずる第２吸込口３２を設け、第１筒２１出口を第１穴１３１に臨ましめ、第２筒３１出口を第２穴１３２に臨ましめ、第１筒２１に、往復動できるようにした第１往復動体４０を内嵌し、第１往復動体４０先端に前面板４３、側面に閉塞板４５を設け、第１往復動体４０が第１筒２１から突出するときは、前面板４３が、網カバ−１０の側面壁１３内面に当接することにより、突出止めとなって給湯を吹出し、閉塞板４５が第１吸込口２２を閉塞し、第１往復動体４０が第１筒２１に没入するときは、前面板４３が、第１筒２１出口前面に当接することにより、没入止めとなり、給湯吹出しを中止し、第１吸込口２２を開口して戻湯吸込できるように形成し、第２筒３１に、往復動できるようにした第２往復動体５０を内嵌し、第２往復動体５０先端に前面板５３、側面に閉塞板５５を設け、第２往復動体５０が第２筒３１から突出するときは、前面板５３が、網カバ−１０の側面壁１３内面に当接することにより、突出止めとなって給湯を吹出し、閉塞板５５が第２吸込口３２を閉塞し、第２往復動体５０が第２筒３１に没入するときは、前面板５３が、第２筒３１出口前面に当接することにより、没入止めとなり、給湯吹出しを中止し、第２吸込口３２を開口して戻湯吸込できるように形成してなる本体１００とを備え、給湯配管接続口６１又は戻湯配管接続口６２のいずれにも給湯配管又は戻湯配管を接続できるようにした浴槽湯口湯吹出吸込装置を開発することに成功したが、使用中に、戻湯又は給湯に混入した湯アカ、ゴミ類、砂等が、第１湯管２０の第１筒２１と第１筒２１に内嵌して往復動する第１往復動体４０の間、又は、第２湯管３０の第２筒３１と第２筒３１に内嵌して往復動する第２往復動体５０の間に介在したとき、湯吹出吸込機能に万一支障が発生することを防止するため、第１往復動体４０、又は、第２往復動体５０、また、これらを内嵌する第１筒２１、又は、第２筒３１の構造の改良に成功すると共に、給湯吹出穴の出口カバ−を新たに取りつけて給湯性能をさらに向上させることに成功した。
【０００３】
【発明が解決しようとする課題】
本発明は、給湯配管及び戻湯配管の接続間違いが全く起きることがなく、また、湯吹出吸込機能の故障発生を防止した浴槽湯口湯吹出吸込装置を提供するものである。
また、本発明は、給湯配管と戻湯配管のそれぞれの接続口をどちらに変更しても、給湯の吹出は常に前面カバ−の側面から行い、戻湯の吸込は常に前面ストレ−ナから行なうことができるようにして、安全性と共に、吹出口の金網を廃止して出湯できるようにした浴槽湯口吹出吸込装置を提供するものである。
【０００４】
【課題を解決するための手段】
本発明は、上記課題を達成するため、図示するように、請求項１記載の発明は、前面枠に金網ストレーナ、側面壁に第１穴及び第２穴を設けた網カバーを着脱可能に取りつけ、給湯配管接続口に連通する第１湯管の前部に第１筒を設け、第１筒側面に網カバーの金網ストレーナに通ずる第１吸込口を設け、戻湯配管接続口と連通する第２湯管の前部に第２筒を設け、第２筒側面に網カバーの金網ストレーナに通ずる第２吸込口を設け、第１筒出口を第１穴に臨ましめ、第２筒出口を第２穴に臨ましめ、第１筒に、往復動できるようにした第１往復動体を内嵌し、第１往復動体が第１筒から突出するときは、給湯を吹出し、戻湯の吸込を中止し、第１往復動体が第１筒に没入するときは、給湯の吹出しを中止し、戻湯の吸込できるように形成し、第２筒に、往復動できるようにした第２往復動体を内嵌し、第２往復動体が第２筒から突出するときは、給湯を吹出し、戻湯の吸込を中止し、第２往復動体が第２筒に没入するときは、給湯の吹出しを中止し、戻湯の吸込できるように形成してなる本体を備え、給湯配管接続口又は戻湯配管接続口のいずれにも給湯配管又は戻湯配管を接続できるようにした浴槽湯口湯吹出吸込装置において、第１往復動体４０Ａ及び第２往復動体５０Ａの各先端に前面板４３Ａ及び５３Ａ、各側面に閉塞板４５Ａ及び５５Ａを設け、前面板４３Ａ又は５３Ａが第１穴１３１又は第２穴１３２内側面に当接することにより、第１往復動体４０Ａ又は第２往復動体５０Ａの突出止めとなり、前面板４３Ａ又は５３Ａが第１筒２１Ａ又は第２筒３１Ａ出口前面に当接することにより没入止めとなるように形成すると共に、第１往復動体４０Ａ及び第２往復動体５０Ａを、往復動するときに、第１筒２１Ａ及び第２筒３１Ａと面接触する閉塞板４５Ａ及び５５Ａ以外の部分は、第１筒２１Ａ及び第２筒３１Ａと線状接触する構造に形成したものである。
また、本発明は、上記課題を達成するため、図示するように、請求項２記載の発明は、上記浴槽湯口湯吹出吸込装置において、第１往復動体４０Ｂ及び第２往復動体５０Ｂの各先端に前面板４３Ｂ及び５３Ｂ、各側面に閉塞板４５Ｂ及び５５Ｂを設け、前面板４３Ｂ又は５３Ｂが第１穴１３１又は第２穴１３２内側面に当接することにより、第１往復動体４０Ｂ又は第２往復動体５０Ｂの突出止めとなり、前面板４３Ｂ又は５３Ｂが第１筒２１Ｂ又は第２筒３１Ｂ出口前面に当接することにより没入止めとなるように形成すると共に、第１筒２１Ｂ及び第２筒３１Ｂを、往復動する第１往復動体４０Ｂ及び第２往復動体５０Ｂと面接触する部分以外の部分は、第１往復動体４０Ｂ及び第２往復動体５０Ｂと線状接触する構造に形成したものである。
さらに、本発明は、上記課題を達成するため、図示するように、請求項３記載の発明は、上記浴槽湯口湯吹出吸込装置において、第１往復動体４０Ｃ及び第２往復動体５０Ｃの各先端に前面板４３Ｃ及び５３Ｃ、各側面に閉塞板４５Ｃ及び５５Ｃを設け、前面板４３Ｃ又は５３Ｃが第１穴１３１又は第２穴１３２内側面に当接することにより、第１往復動体４０Ｃ又は第２往復動体５０Ｃの突出止めとなり、前面板４３Ｃ又は５３Ｃが第１筒２１Ｃ又は第２筒３１Ｃ出口前面に当接することにより没入止めとなるように形成すると共に、第１往復動体４０Ｃと第１筒２１Ｃ、及び、第２往復動体５０Ｃと第２筒３１Ｃを、第１往復動体４０Ｃ及び第２往復動体５０Ｃが往復動するときに、第１往復動体４０Ｃ及び第２往復動体５０Ｃの閉塞板４５Ｃ及び５５Ｃと相互に面接触する部分以外の部分は、相互に線状接触する構造に形成したものである。
また、本発明は、上記課題を達成するため、図示するように、請求項４記載の発明は、上記浴槽湯口湯吹出吸込装置において、第１往復動体４０Ｄ及び第２往復動体５０Ｄの各先端に前面板４３Ｄ及び５３Ｄ、各側面に閉塞板４５Ｄ及び５５Ｄを設け、前面板４３Ｄ又は５３Ｄが第１穴１３１又は第２穴１３２に着脱可能に内嵌した給湯出口カバー７０の内面に当接することにより、第１往復動体４０Ｄ又は第２往復動体５０Ｄの突出止めとなり、前面板４３Ｄ又は５３Ｄが第１筒２１又は第２筒３１出口前面に当接することにより没入止めとなるように形成すると共に、第１往復動体４０Ｄ及び第２往復動体５０Ｄを、往復動するときに、第１筒２１及び第２筒３１と面接触する閉塞板４５Ｄ及び５５Ｄ以外の部分は、第１筒２１及び第２筒３１と線状接触する構造に形成したものである。
また、本発明は、上記課題を達成するため、図示するように、請求項５記載の発明は、上記浴槽湯口湯吹出吸込装置において、第１往復動体４０Ｅ及び第２往復動体５０Ｅの各先端に前面板４３Ｅ及び５３Ｅ、各側面に閉塞板４５Ｅ及び５５Ｅを設け、前面板４３Ｅ又は５３Ｅが第１穴１３１又は第２穴１３２に着脱可能に内嵌した給湯出口カバー７０内面に当接することにより、第１往復動体４０Ｅ又は第２往復動体５０Ｅの突出止めとなり、前面板４３又は５３Ｅが第１筒２１Ｅ又は第２筒３１Ｅ出口前面に当接することにより没入止めとなるように形成すると共に、第１筒２１Ｅ及び第２筒３１Ｅを、往復動する第１往復動体４０Ｅ及び第２往復動体５０Ｅの閉塞板４５Ｅ及び５５Ｅと面接触する部分以外の部分は、第１往復動体４０Ｅ及び第２往復動体５０Ｅと線状接触する構造に形成したものである。
また、本発明は、上記課題を達成するため、図示するように、請求項６記載の発明は、上記浴槽湯口湯吹出吸込装置において、第１往復動体４０Ｆ及び第２往復動体５０Ｆの各先端に前面板４３Ｆ及び５３Ｆ、各側面に閉塞板４５Ｆ及び５５Ｆを設け、前面板４３Ｆ又は５３Ｆが第１穴１３１又は第２穴１３２に着脱可能に内嵌した給湯出口カバー７０の内面に当接することにより、第１往復動体４０Ｆ又は第２往復動体５０Ｆの突出止めとなり、前面板４３Ｆ又は５３Ｆが第１筒２１Ｆ又は第２筒３１Ｆ出口前面に当接することにより没入止めとなるように形成すると共に、第１往復動体４０Ｆと第１筒２１Ｆ、及び、第２往復動体５０Ｆと第２筒３１Ｆを、第１往復動体４０Ｆ及び第２往復動体５０Ｆが往復動するときに、第１往復動体４０Ｆ及び第２往復動体５０Ｆの閉塞板４５Ｆ及び５５Ｆと面接触する部分以外の部分は、相互に線状接触する構造の第１往復動体４０Ｆと第１筒２１Ｆ、及び、第２往復動体５０Ｆと第２筒３１Ｆとに形成したものである。
【０００５】
【発明の実施の形態１】
本発明の請求項１記載の発明の実施の形態１が図３に示されている。
本例の第１往復動体４０Ａは、先端に前面板４３Ａ、側面に閉塞板４５Ａが設けられ、第１往復動体４０Ａは、第１筒２１から突出するときは、前面板４３Ａが、図２に示す第１穴１３１の内側面壁１３に当接して突出止めとなり、また、閉塞板４５Ａは、第１筒２１の第１吸込口２２に面接触して第１吸込口２２を閉塞し、第１吸込口２２から網カバー１０のストレーナ１１に向かって第１筒２１から出湯するのを防止している。第１往復動体４０Ａは、閉塞板４５Ａ以外の各側面は、第１筒２１に内嵌してそれぞれ線状接触して往復動できるように設けられた起立板４６Ａ、４７Ａ、４８Ａにより、これらの間隙を通して第１筒２１からの給湯が、第１往復動体４０Ａの突出時の各側面から第１穴１３１に向かって吹き出せるように形成されている。
次いで、第１往復動体４０Ａが第１筒２１に没入するときは、前面板４３Ａが第１筒２１の出口前面に当接して第１往復動体４０Ａの没入止めとなり、第１筒２１から給湯の吹出しを中断すると共に、閉塞板４５Ａの移動により第１吸込口２２を開口して戻湯を流入させ、ボイラー（図示しない）に還流するように形成される。
第２往復動体５０Ａも第１往復動体４０Ａと同様に構成されるので、詳細説明は省略する。
なお、５３Ａは前面板、５５Ａは閉塞板、５６Ａ、５７Ａ、５８Ａは起立板である。
【０００６】
【発明の実施の形態２】
本発明の請求項２記載の発明の実施の形態２が図４に示されている。
本例の第１筒２１Ｂは、第１往復動体４０Ｂの側面の閉塞板４５Ｂ及び側面支持板４０１Ｂと面接触して往復動する側面部分２１１Ｂは、面状に形成され、他の側面部分２１２Ｂ、２１３Ｂ、２１４Ｂは、ほぼ中央部に、それぞれ突起条２３Ｂが設けられて、第１往復動体４０Ｂ各側面４０２Ｂ、４０３Ｂ、４０４Ｂ、４０５Ｂと線状接触して往復動できるように形成されている。
第１往復動体４０Ｂは、先端に前面板４３Ｂ、側面に閉塞板４５Ｂが設けられ、第１往復動体４０Ｂは、第１筒２１Ｂから突出するときは、前面板４３Ｂが、図２に示す第１穴１３１の内側面壁１３に当接して突出止めとなり、また、閉塞板４５Ｂは、第１筒２１Ｂの第１吸込口２２Ｂに面接触して第１吸込口２２Ｂを閉塞し、第１吸込口２２Ｂから網カバー１０のストレーナ１１に向かって第１筒２１Ｂから出湯するのを防止している。第１筒２１Ｂからの給湯が、第１往復動体４０Ｂの突出時の各側面の間隙から網カバー１０の第１穴１３１に向かって吹き出せるように形成されている。
次いで、第１往復動体４０Ｂが第１筒２１Ｂに没入するときは、前面板４３Ｂが第１筒２１Ｂの出口前面に当接して、第１往復動体４０Ｂの没入止めとなり、第１筒２１Ｂから給湯の吹出しを中断すると共に、閉塞板４５Ｂの移動により第１吸込口２２Ｂを開口して戻湯を流入させボイラー（図示しない）に還流するように形成される。
第２筒３１Ｂも第１筒２１Ｂと同様に構成されるので、詳細説明は省略する。なお、３２Ｂは第２吸込口、３１１Ｂ、３１２Ｂ、３１３Ｂ及び３１４Ｂは各側面部分、３３Ｂは突起条である。
また、第２往復動体５０Ｂも第１往復動体４０Ｂと同様に構成されるので、詳細説明は省略する。なお、５３Ｂは前面板、５５Ｂは閉塞板、５０１Ｂ、５０２Ｂ、５０３Ｂ、５０４Ｂ及び５０５Ｂは各側面支持板である。
【０００７】
【発明の実施の形態３】
本発明の請求項３記載の発明の実施の形態３が図５に示されている。
本例の第１筒２１Ｃは、第１往復動体４０Ｃの側面の閉塞板４５Ｃと面接触して往復動する側面部分２１１Ｃは面状に形成され、他の筒部分２１２Ｃ、２１３Ｃ、２１４Ｃは、ほぼ中央部に、それぞれ突起条２３Ｃが設けられて、第１往復動体４０Ｃの各側面支持板４０２Ｃ、４０３Ｃ、４０４Ｃ及び４０５Ｃの各突起条４４Ｃと一致して線状接触し往復動できるように形成されている。
第１往復動体４０Ｃは、先端に前面板４３Ｃ、側面に閉塞板４５Ｃが設けられ、第１往復動体４０Ｃが、第１筒２１Ｃから突出するときは、前面板４３Ｃが、図２に示す網カバー１０の側面壁１３の内面に当接して突出止めとなり、また、閉塞板４５Ｃが、第１筒２１Ｃの第１吸込口２２Ｃに面接触して第１吸込口２２Ｃを閉塞し、第１吸込口２２Ｃから網カバー１０のストレーナ１１に向かって第１筒２１Ｃから出湯するのを防止している。閉塞板４５Ｃ以外の側面支持板４０２Ｃ、４０３Ｃ、４０４Ｃ、４０５Ｃは、第１筒２１Ｃに内嵌してその突起条２３Ｃと一致してそれぞれ線状接触して往復動できるようにした突起条４４Ｃがあり、これらの間隙及び第１吐出穴４１Ｃを通して第１筒２１Ｃからの給湯が、第１往復動体４０Ｃの突出時の各側面から第１穴１３１に向かって吹き出せるように形成されている。
次いで、第１往復動体４０Ｃが第１筒２１Ｃに没入するときは、前面板４３Ｃが第１筒２１Ｃの出口前面に当接して第１往復動体４０Ｃの没入止めとなり、第１筒２１Ｃから給湯の吹出しを中断すると共に、閉塞板４５Ｃの移動により第１吸込口２２Ｃを開口して戻湯を流入させ、ボイラー（図示しない）に還流するように形成される。
第２筒３１Ｃも第１筒２１Ｃと同様に構成されるので、詳細説明は省略する。なお、３２Ｃは第２吸込口、３１１Ｃ、３１２Ｃ、３１３Ｃ及び３１４Ｃは各側面部分、３３Ｃは各突起条である。
また、第２往復動体５０Ｃも第１往復動体４０Ｃと同様に構成されるので、詳細説明は省略する。なお、５３Ｃは前面板、５４Ｃは突起条、５５Ｃは閉塞板、５０１Ｃ、５０２Ｃ、５０３Ｃ、５０４Ｃ及び５０５Ｃは各側面支持板である。
【０００８】
【発明の実施の形態４】
本発明の請求項４記載の発明の実施の形態４が図６、図７及び図８に示されている。
本例の第１往復動体４０Ｄ又は第２往復動体５０Ｄは、本体１００の前部に着脱できるようにねじ７７で取つけられた給湯出口カバ−７０と組み合わされて使用される。
給湯出口カバ−７０は、図７に示すように、網カバ−１０の側面壁１３の第１穴１３１又は第２穴１３２に内嵌合されて側面板７１、７２、７３及び７４で囲まれた給湯出口を設けている。
本例の第１往復動体４０Ｄは、先端に前面板４３Ｄ、側面に閉塞板４５Ｄが設けられ、第１往復動体４０Ｄは、第１筒２１から突出するときは、前面板４３Ｄが、カバー７０の側面７１の内面に当接して突出止めとなり、また、閉塞板４５Ｄは、第１筒２１の第１吸込口２２に面接触して第１吸込口２２を閉塞し、第１吸込口２２から網カバー１０のストレーナ１１に向かって第１筒２１から出湯するのを防止している。閉塞板４５Ｄ以外の側面は、第１筒２１に内嵌してそれぞれ線状接触して往復動できるように設けられた起立板４６Ｄ、４７Ｄ、４８Ｄにより、これらの間隙を通して第１筒２１からの給湯が、第１往復動体４０Ｄの突出時の側面からカバ−７０の出口に向かって吹き出せるように形成されている。次いで、第１往復動体４０Ｄが第１筒２１に没入するときは、前面板４３Ｄが第１筒２１の出口前面に当接して第１往復動体４０Ｄの没入止めとなり、第１筒２１から給湯の吹出しを中断すると共に、閉塞板４５Ｄの移動により第１吸込口２２を開口して戻湯を流入させ、ボイラー（図示しない）に還流するように形成される。
第２往復動体５０Ｄも第１往復動体４０Ｄと同様に構成されるので、詳細説明は省略する。なお、５３Ｄは前面板、５５Ｄは閉塞板、５６Ｄ、５７Ｄ、５８Ｄは起立板である。
【０００９】
【発明の実施の形態５】
本発明の請求項５記載の発明の実施の形態５が図９に示されている。
本例の第１往復動体４０Ｅ又は第２往復動体５０Ｅは、本体１００の前部に着脱できるようにねじ７７で取つけられた給湯出口カバ−７０と組み合わされて使用される。
給湯出口カバ−７０は、図７に示すように、網カバ−１０の側面壁１３の第１穴１３１又は第２穴１３２に内嵌合されて側面板７１、７２、７３及び７４で囲んだ給湯出口を設けている。
第１筒２１Ｅは、第１往復動体４０Ｅの側面の閉塞板４５Ｅと面接触して往復動する側面部分２１１Ｅは、面状に形成され、他の側面部分２１２Ｅ、２１３Ｅ、２１４Ｅは、ほぼ中央部に、それぞれ突起条２３Ｅが設けられて、第１往復動体４０Ｅの各側面支持板４０２Ｅ、４０３Ｅ、４０４Ｅ、４０５Ｅと線状接触して往復動できるように形成されている。
第１往復動体４０Ｅは、先端に前面板４３Ｅ、側面に閉塞板４５Ｅが設けられ、第１往復動体４０Ｅは、第１筒２１Ｅから突出するときは、前面板４３Ｅが、カバ−７０の側面７１の内面に当接して突出止めとなり、また、閉塞板４５Ｅは、第１筒２１Ｅの第１吸込口２２Ｅに面接触して第１吸込口２２Ｅを閉塞し、第１吸込口２２Ｅから網カバー１０のストレーナ１１に向かって第１筒２１Ｅから出湯するのを防止している。第１筒２１Ｅからの給湯が、第１往復動体４０Ｅの突出時の各側面の間隙から網カバー１０の第１穴１３１に向かって吹き出せるように形成されている。
次いで、第１往復動体４０Ｅが第１筒２１Ｅに没入するときは、前面板４３Ｅが第１筒２１Ｅの出口前面に当接して第１往復動体４０Ｅの没入止めとなり、第１筒２１Ｅから給湯の吹出しを中断すると共に、閉塞板４５Ｅの移動により第１吸込口２２Ｅを開口して戻湯を流入させボイラー（図示しない）に還流するように形成される。
第２筒３１Ｅも第１筒２１Ｅと同様に構成されるので、詳細説明は省略する。なお、３２Ｅは第２吸込口、３１１Ｅ、３１２Ｅ、３１３Ｅ及び３１４Ｅは各側面部分、３３Ｅは突起条である。
また、第２往復動体５０Ｅも第１往復動体４０Ｅと同様に構成されるので、詳細説明は省略する。なお、５３Ｅは前面板、５４Ｅは突起条、５５Ｅは閉塞板、５０１Ｅ、５０２Ｅ、５０３Ｅ、５０４Ｅ及び５０５Ｅは各側面支持板である。
【００１０】
【発明の実施の形態６】
本発明の請求項６記載の発明の実施の形態６が図１０に示されている。
本例の第１往復動体４０Ｆ又は第２往復動体５０Ｆは、本体１００の前部に着脱できるようにねじ７７で取りつけられた給湯出口カバ−７０と組み合わされて使用される。
給湯出口カバ−７０は、図７に示すように、網カバ−１０の側面壁１３の第１穴１３１又は第２穴１３２に内嵌合されて側面板７１、７２、７３及び７４で囲んだ給湯出口を設けている。
第１筒２１Ｆは、第１往復動体４０Ｆの側面の閉塞板４５Ｆと面接触して往復動する側面部分２１１Ｆは面状に形成され、他の筒部分２１２Ｆ、２１３Ｆ、２１４Ｆは、ほぼ中央部に、それぞれ突起条２３Ｆが設けられて、第１往復動体４０Ｆの各側面４０２Ｆ、４０３Ｆ、４０４Ｆ及び４０５Ｆの各突起条４４Ｆと一致して線状接触し往復動できるように形成されている。
第１往復動体４０Ｆは、先端に前面板４３Ｆ、側面に閉塞板４５Ｆが設けられ、第１往復動体４０Ｆが、第１筒２１Ｆから突出するときは、前面板４３Ｆが、カバ−７０の側面７１の内面に当接して突出止めとなり、また、閉塞板４５Ｆが、第１筒２１Ｆの第１吸込口２２Ｆに面接触して第１吸込口２２Ｆを閉塞し、第１吸込口２２Ｆから網カバー１０のストレーナ１１に向かって第１筒２１Ｆから出湯するのを防止している。閉塞板４５Ｆ以外の側面４０２Ｆ、４０３Ｆ、４０４Ｆ及び４０５Ｆは、第１筒２１Ｆに内嵌してその突起条２３Ｆと一致してそれぞれ線状接触して往復動できるようにした突起条４４Ｆがあり、これらの間隙を通して第１筒２１Ｆからの給湯が、第１往復動体４０Ｆの突出時の側面から第１穴１３１に向かって吹き出せるように形成されている。
次いで、第１往復動体４０Ｆが第１筒２１Ｆに没入するときは、前面板４３Ｆが第１筒２１Ｆの出口前面に当接して第１往復動体４０Ｆの没入止めとなり、第１筒２１Ｆから給湯の吹出しを中断すると共に、閉塞板４５Ｆの移動により第１吸込口２２を開口して戻湯を流入させ、ボイラー（図示しない）に還流するように形成される。
第２筒３１Ｆも第１筒２１Ｆと同様に構成されるので、詳細説明は省略する。なお、３２Ｆは第２吸込口、３１１Ｆ、３１２Ｆ、３１３Ｆ及び３１４Ｆは各側面部分、３３Ｆは各突起条である。
また、第２往復動体５０Ｆも第１往復動体４０Ｆと同様に構成されるので、詳細説明は省略する。なお、５３Ｆは前面板、５４Ｆは突起条、５５Ｆは閉塞板、５０１Ｆ、５０２Ｆ、５０３Ｆ、５０４Ｆ及び５０５Ｆは各側面支持板である。
【００１１】
【発明の効果】
本発明によれば、給湯配管と戻湯配管との接続を間違えても、金網ストレーナから熱湯が流れ出す危険が全くない上に、給湯中または戻湯中に混入した湯アカ、ゴミ類、砂等によって、第１湯管の第１筒とこれに内嵌して往復動する第１往復動体、又は、第２湯管の第２筒とこれに内嵌して往復動する第２往復動体とによる給湯吹出、戻湯吸込の各機能に支障が発生することを防止することができる。
また、本発明によれば、給湯配管と戻湯配管との接続口をどちらに変更しても、給湯の吹き出しは、常に前面カバ−１０の側面１３から吹き出し、戻湯の吸込は、常に網カバ−１０の前面のストレ−ナ１１から行なうので、給湯の吹き出し口には、金網が不要となる利点がある。
【図面の簡単な説明】
【図１】本発明の実施形態を示す斜視図である。
【図２】図１の断面図である。
【図３】本発明の第１往復動体又は第２往復動体の実施形態を示す説明図である。
【図４】本発明の第１筒又は第２筒の別の実施形態を示す説明図である。
【図５】本発明の第１往復動体と第１筒又は第２往復動体と第２筒の別の実施形態を示す説明図である。
【図６】本発明の第１往復動体又は第２往復動体の別の実施形態を示す説明図である。
【図７】図６に使用した給湯出口カバーの斜視図である。
【図８】図６及び図７に示す第１往復動体又は第２往復動体と給湯出口カバ−の使用状態を説明する断面図である。
【図９】本発明の第１筒又は第２筒の更に別の実施の形態を示す説明図である。
【図１０】本発明の第１往復動体と第１筒又は第２往復動体と第２筒の更に別の実施形態を示す説明図である。
【図１１】従来例を示す断面図である。
【図１２】別の従来例を示す断面図である。
【符号の説明】
１０  網カバー
１１  金網ストレーナ
１２  前面枠
１３  側面壁
１３１、１３２  穴部（第１穴、第２穴）
２０  第１湯管
２１、２１Ｂ、２１Ｃ、２１Ｅ、２１Ｆ  第１筒
２２、２２Ｂ、２２Ｃ、２２Ｅ、２２Ｆ  第１吸込口
３０  第２湯管
３１、３１Ｂ、３１Ｃ、３１Ｅ、３１Ｆ  第２筒
３２、３２Ｂ、３２Ｃ、３２Ｅ、３２Ｆ  第２吸込口
４０、４０Ａ、４０Ｂ、４０Ｃ、４０Ｄ、４０Ｅ、４０Ｆ  第１往復動体
４３、４３Ａ、４３Ｂ、４３Ｃ、４３Ｄ、４３Ｅ、４３Ｆ  前面板
４５、４５Ａ、４５Ｂ、４５Ｃ、４５Ｄ、４５Ｅ、４５Ｆ  閉塞板
５０、５０Ａ、５０Ｂ、５０Ｃ、５０Ｄ、５０Ｅ、５０Ｆ  第２往復動体
５３、５３Ａ、５３Ｂ、５３Ｃ、５３Ｄ、５３Ｅ、５３Ｆ  前面板
５５、５５Ａ、５５Ｂ、５５Ｃ、５５Ｄ、５５Ｅ、５５Ｆ  閉塞板
６１  給湯配管接続口
６２  戻湯配管接続口
１００  本体
【図１】
0003816663.tif 000002
【図２】
0003816663.tif 000003
【図３】
0003816663.tif 000004
【図４】
0003816663.tif 000005
【図５】
0003816663.tif 000006
【図６】
0003816663.tif 000007
【図７】
0003816663.tif 000008
【図８】
0003816663.tif 000009
【図９】
0003816663.tif 000010
【図１０】
0003816663.tif 000011
【図１１】
0003816663.tif 000012
【図１２】
0003816663.tif 000013